(57)【要約】      （修正有）【課題】構造が簡単で、操作しやすく、便利に収納できる調整可能な乳児用枕を提供する。【解決手段】乳児用枕は、枕カバーと、枕カバー内に取り付けられた枕コア２と、を含み、枕コア２は、中央部に位置する第１の枕部分２０１及び第１の枕部２０１分の両側に位置する第２の枕部分２０２を含み、各第２の枕部分２０２には、いずれも第２の枕部分２０２の高さを便利に調整できる調整アセンブリが設置されている。乳児用枕は、新生児の頭の形に応じて調整して使用でき、新生児の頭の形が比較的丸い場合は、平らにして使用し、新生児の睡眠姿勢を交互に調整して頭の形の問題を予防することができ、新生児の頭の形が突き出ている場合は、両側の第２の枕部分を調整して枕の両側を引き締めることで高くし、仰向けに寝かせて使用し、新生児の頭の形が左右非対称で歪んでいる場合は、対応する一側を高く調整して使用する。【選択図】図１
0003230013.tif 000002
【実用新案登録請求の範囲】
【請求項１】
枕カバー（１）と、枕カバー（１）内に取り付けられた枕コア（２）と、を含む調整可能な乳児用枕であって、前記枕コア（２）は、中央部に位置する第１の枕部分（２０１）及び第１の枕部分（２０１）の両側に位置する第２の枕部分（２０２）を含み、各第２の枕部分（２０２）には、いずれも第２の枕部分（２０２）の高さを便利に調整できる調整アセンブリが設置されている
ことを特徴とする調整可能な乳児用枕。
【請求項２】
前記調整アセンブリは、調整留め具（３）と、調整紐（４）と、を含み、調整紐（４）は、対応する第２の枕部分（２０２）に巻き付けられ、調整留め具（３）は、対応する第２の枕部分（２０２）の第１の枕部分（２０１）から離れた側に設置され、調整紐（４）の第１の枕部分（２０１）から離れた一端は、対応する調整留め具（３）に貫設される
請求項１に記載の調整可能な乳児用枕。
【請求項３】
前記調整留め具（３）は、枕カバー（１）の外部に設置され、枕カバー（１）の両側には、いずれも第１の貫通孔が設置され、調整紐（４）の第１の枕部分（２０１）から離れた一端は、対応する第１の貫通孔を通過した後、対応する調整留め具（３）に接続される
請求項２に記載の調整可能な乳児用枕。
【請求項４】
前記第１の枕部分（２０１）と各第２の枕部分（２０２）との間には、いずれも第２の貫通孔が設置され、調整紐（４）の第１の枕部分（２０１）に近接する一端は、対応する第２の貫通孔を貫通する
請求項２又は３に記載の調整可能な乳児用枕。
【請求項５】
前記調整留め具（３）は、両側のいずれにも十字形の切れ目（３０１）が設置されたシリコンシートであり、各調整紐（４）は、いずれも対応する調整留め具（３）上の２つの十字形の切れ目（３０１）を通過する
請求項２又は３に記載の調整可能な乳児用枕。
【請求項６】
前記第２の枕部分（２０２）に対応する枕コア（２）の上端と下端には、いずれも制限通路が設置され、各調整紐（４）は、いずれも対応する２つの制限通路を通過する
請求項２又は３に記載の調整可能な乳児用枕。
【請求項７】
前記制限通路は、枕コア（２）と、枕コア（２）の内側に設置された制限ストリップとを縫合することにより形成され、第２の枕部分（２０２）の第１の枕部分（２０１）から離れた一端に対応する枕コア（２）には、２つの第３の貫通孔が設置され、各調整紐（４）は、いずれも対応する２つの第３の貫通孔を通過する
請求項６に記載の調整可能な乳児用枕。
【請求項８】
前記第２の枕部分（２０２）の第１の枕部分（２０１）に近接する一端に対応する枕コア（２）には、２つの第４の貫通孔が設置され、各調整紐（４）は、いずれも対応する２つの第４の貫通孔を通過する
請求項７に記載の調整可能な乳児用枕。
【請求項９】
前記制限通路は、枕コア（２）と、枕コア（２）の外側に設置された制限ストリップとを縫合することにより形成される
請求項６に記載の調整可能な乳児用枕。
【請求項１０】
前記枕コア（２）は、繊維材料で製造される
請求項１に記載の調整可能な乳児用枕。
【考案の詳細な説明】
【技術分野】
【０００１】
本考案は、日用品の技術分野に属し、具体的には、調整可能な乳児用枕に関する。
【背景技術】
【０００２】
調整可能な乳児用枕は、一部の市場で使用されているが、枕の下に２つの独立したパッドを追加したり、枕カバーに１つのモジュールを詰め込んで高くするなど、いずれも別体式である。
【０００３】
現在市販されている枕は、使用時に、滑り落ちやすく、パッドが転位しやすく、位置が固定かつ統一されないため、矯正効果が弱く、状況がより深刻になる可能性がある。
【考案の概要】
【考案が解決しようとする課題】
【０００４】
従来技術に存在する上記問題を解決するために、本考案の目的は、調整可能な乳児用枕を提供することである。
【課題を解決するための手段】
【０００５】
本考案が採用する技術的解決手段は以下のとおりである。
【０００６】
調整可能な乳児用枕は、枕カバーと、枕カバー内に取り付けられた枕コアと、を含み、前記枕コアは、中央部に位置する第１の枕部分及び第１の枕部分の両側に位置する第２の枕部分を含み、各第の２枕部分には、いずれも第２の枕部分の高さを便利に調整できる調整アセンブリが設置されている。
【０００７】
さらに好ましくは、前記調整アセンブリは、調整留め具と、調整紐と、を含み、調整紐は、対応する第２の枕部分に巻き付けられ、調整留め具は、対応する第２の枕部分の第１の枕部分から離れた側に設置され、調整紐の第１枕部分から離れた一端は、対応する調整留め具に貫設される。
【０００８】
さらに好ましくは、前記調整留め具は、枕カバーの外部に設置され、枕カバーの両側には、いずれも第１の貫通孔が設置され、調整紐の第１の枕部分から離れた一端は、対応する第１の貫通孔を通過した後、対応する調整留め具に接続される。
【０００９】
さらに好ましくは、前記第１の枕部分と各第２の枕部分との間には、いずれも第２の貫通孔が設置され、調整紐の第１の枕部分に近接する一端は、対応する第２の貫通孔を貫通する。
【００１０】
さらに好ましくは、前記調整留め具は、両側のいずれにも十字形の切れ目が設置されたシリコンシートであり、各調整紐は、いずれも対応する調整留め具上の２つの十字形の切れ目を通過する。
【００１１】
さらに好ましくは、前記第２の枕部分に対応する枕コアの上端と下端には、いずれも制限通路が設置され、各調整紐は、いずれも対応する２つの制限通路を通過する。
【００１２】
さらに好ましくは、前記制限通路は、枕コアと、枕コアの内側に設置された制限ストリップとを縫合することにより形成され、第２の枕部分の第１の枕部分から離れた一端に対応する枕コアには、２つの第３の貫通孔が設置され、各調整紐は、いずれも対応する２つの第３の貫通孔を通過する。
【００１３】
さらに好ましくは、前記第２の枕部分の第１の枕部分に近接する一端に対応する枕コアには、２つの第４の貫通孔が設置され、各調整紐は、いずれも対応する２つの第４の貫通孔を通過する。
【００１４】
さらに好ましくは、前記制限通路は、枕コアと、枕コアの外側に設置された制限ストリップとを縫合することにより形成される。
【００１５】
さらに好ましくは、前記枕コアは、繊維材料で製造される。
【考案の効果】
【００１６】
本考案の有益な効果は以下のとおりである。
【００１７】
本調整可能な乳児用枕は、新生児の頭の形に応じて調整して使用でき、新生児の頭の形が比較的丸い場合は、平らにして使用し、新生児の睡眠姿勢を交互に調整して頭の形の問題を予防すればよく、新生児の頭の形が突き出ている場合は、両側の第２の枕部分を調整して枕の両側を引き締め高くして、仰向けに寝かせて使用し、新生児の頭の形が左右非対称で歪んでいる場合は、対応する一側を高く調整して使用する。本考案は、従来の市場における製品の欠点を克服し、構造が簡単で、操作しやすく、便利に収納できる調整可能な乳児用枕を提供し、新生児の実際の状況に合わせて適切に調整して使用でき、プロセス全体が迅速かつ便利で、実用性が高い。
【図面の簡単な説明】
【００１８】
【図１】枕カバーを使用しない場合の本考案の構造を示す模式図
【図２】図１の視点での、調整紐を調整した後の構造を示す模式図
【図３】調整紐を調整していない場合の構造を示す模式図
【図４】１つの調整紐のみを調整する場合の構造を示す模式図
【図５】２つの調整紐を調整する場合の構造を示す模式図
【図６】本考案の俯瞰図
【図７】調整留め具の構造を示す模式図
【考案を実施するための形態】
【００１９】
本考案の実施例又は従来技術における技術的解決手段をより明確に説明するために、以下、添付図面及び実施例又は従来技術の説明を参照しながら、本考案を簡単に説明し、明らかに、以下の添付図面の構造に関する説明は、本考案の幾つかの実施例に過ぎず、当業者であれば、創造的な労力をすることなく、これらの図面に基づいて他の図面を得ることができる。
【００２０】
以下、添付図面を参照しながら、実施例形態により、本考案が提供する技術的解決手段を詳細に説明する。なお、これらの実施例形態の説明は、本考案の理解を助けるためのものであるが、本考案を限定するものではない。
【００２１】
いくつかの例において、いくつかの実施形態は、従来又は一般的な技術であるため、説明を省略するか、又は詳細に説明していない。
【００２２】
また、本考案に記載された技術的特徴又は開示された全ての方法又はプロセスにおけるステップは、相互に排他的な特徴及び／又はステップを除き、１つ以上の実施例において任意適切に組み合わせてもよい。当業者であれば、本考案が提供する実施例に関する方法のステップ又は操作手順が変更してもよいことは容易に理解できる。添付図面及び実施例における任意の順序は、単に用途を説明するためのものであり、特定の順序に従う必要があることが明確に説明されていない限り、特定の順序に従う必要があることを示唆するものではない。
【００２３】
本考案で「第１」、「第２」などの部品に付けられた番号は、説明される対象を区別するためのものだけであり、何ら順序や技術的な意味を有するものではない。なお、本願でいう「接続」、「連結」とは、合理的な場合（自己矛盾しない場合）には、いずれも直接的及び間接的な接続（連結）を含むものとする。
【００２４】
実施例１：
図１〜図６に示すように、本実施例の調整可能な乳児用枕は、枕カバー１と、枕カバー１内に取り付けられた枕コア２と、を含み、前記枕コア２は、中央部に位置する第１の枕部分２０１及び第１の枕部分２０１の両側に位置する第２の枕部分２０２を含み、第１の枕部分２０１は、第２の枕部分２０２に接続され、各第２の枕部分２０２には、いずれも第２の枕部分２０２の高さを便利に調整できる調整アセンブリが設置され、調整アセンブリにより第２の枕部分２０２の高さを便利に調整できるようにする。
【００２５】
本調整可能な乳児用枕は、新生児の頭の形に応じて調整して使用でき、新生児の頭の形が比較的丸い場合は、平らにして使用し、新生児の睡眠姿勢を交互に調整して頭の形の問題を予防すればよく、新生児の頭の形が突き出ている場合は、両側の第２の枕部分２０２を調整して枕の両側を引き締め高くして、仰向けに寝かせて使用し、新生児の頭の形が左右非対称で歪んでいる場合は、対応する一側を高く調整して使用する。本考案は、従来の市場における製品の欠点を克服し、構造が簡単で、操作しやすく、便利に収納できる調整可能な乳児用枕を提供し、新生児の実際の状況に合わせて適切に調整して使用でき、プロセス全体が迅速かつ便利で、実用性が高い。
【００２６】
実施例２：
本実施例は実施例１に基づいてさらに改良されたものであり、本実施例と実施例１との具体的な区別は以下のとおりである。
【００２７】
本実施例において、さらに、前記調整アセンブリは、調整留め具３と、調整紐４と、を含み、調整紐４は、対応する第２の枕部分２０２に巻き付けられ、調整留め具３は、対応する第２の枕部分２０２の第１の枕部分２０１から離れた側に設置され、調整紐４の第１の枕部分２０１から離れた一端は、対応する調整留め具３に貫設される。第２の枕部分２０２の高さを調整する必要がある場合には、調整紐４の第１の枕部分２０１から離れた一端を引き、調整留め具３で調整紐４をロックして、調整留め具３の枕コア側にある調整紐４の長さを短くすることで、第２の枕部分２０２を引き締め、第２の枕部分２０２の高さを高くすることを実現する。逆にすると、低くすることができ、第２の枕部分２０２の高さを容易に調整することができる。
【００２８】
実施例３：
本実施例は実施例２に基づいてさらに改良されたものであり、本実施例と実施例２との具体的な区別は以下のとおりである。
【００２９】
本実施例において、さらに前記調整留め具３は、枕カバー１の外部に設置され、枕カバー１において調整紐を直接調整でき、調整をさらに便利にし、枕カバー１の両側には、いずれも第１の貫通孔が設置され、調整紐４の第１の枕部分２０１から離れた一端は、対応する第１の貫通孔を通過した後、対応する調整留め具３に接続される。好ましくは、第１の貫通孔は２つ設置され、調整紐４は、対応する２つの第１の貫通孔を通過することで、調整紐４の一端が枕カバーの外部に安定して設置される。
【００３０】
実施例４：
本実施例は実施例２又は実施例３に基づいてさらに改良されたものであり、本実施例と実施例２又は実施例３との具体的な区別は以下のとおりである。
【００３１】
本実施例において、さらに前記第１の枕部分２０１と各第２の枕部分２０２との間には、いずれも第２の貫通孔が設置され、調整紐４の第１の枕部分２０１に近接する一端は、対応する第２の貫通孔を貫通することにより、調整紐４が第２の枕部分の全体を縛ることを保証し、調整の範囲を大きくして、効果をさらに向上させることができる。本実施例では、１つの実施態様を提供するのみであり、具体的には、調整紐４の第１の枕部分２０１に近接する一端が第の２枕部分２０２の第１の枕部分２０１に近接する一端に固定的に接続されてもよく、或いは、第２の枕部分２０２の第１の枕部分２０１に近接する一端に制限部材が設置され、制限部材を利用して調整紐４が第１の枕部分２０１の一端に近接するように制限するなど、具体的な態様を限定しない。
【００３２】
実施例５：
本実施例は実施例２〜実施例４のいずれかに基づいてさらに改良されたものであり、本実施例と実施例２〜実施例４のいずれかとの具体的な区別は以下のとおりである。
【００３３】
本実施例において、さらに、図７に示すように、前記調整留め具３は、両側のいずれにも十字形の切れ目３０１が設置されたシリコンシートであり、各調整紐４は、いずれも対応する調整留め具３上の２つの十字形の切れ目３０１を通過する。シリコンシートは、一定の柔軟性と弾力性があり、価格が安く、十字形の切断目３０１は、調整紐４が容易に通過でき、外力を受けず、閉鎖状態にある限り、調整紐４を締め付けて、調整紐４に対して制限作用を果たす。
【００３４】
実施例６：
本実施例は実施例２〜実施例５のいずれかに基づいてさらに改良されたものであり、本実施例と実施例２〜実施例５のいずれかとの具体的な区別は以下のとおりである。
【００３５】
本実施例において、さらに、前記第２の枕部分２０２に対応する枕コア２の上端と下端には、いずれも制限通路が設置され、各調整紐４はいずれも対応する２つの制限通路を通過することで、制限通路は、調整紐４に対して制限作用を果たし、調整紐４の揺れを防止でき、それにより調整紐４は常に設定された位置にあり、第２の枕部分２０２の調整中に常に安定している。
【００３６】
実施例７：
本実施例は実施例６に基づいてさらに改良されたものであり、本実施例と実施例６との具体的な区別は以下のとおりである。
【００３７】
本実施例において、さらに、前記制限通路は、枕コア２と、枕コア２の内側に設置された制限ストリップとを縫合することにより形成され、制限ストリップは、布製ストリップであってもよく、当然ながら、これに限定されるものではなく、他の材料であってもよく、特に限定しない。第２の枕部分の第１の枕部分２０１から離れた一端に対応する枕コア２には、２つの第３の貫通孔が設置され、各調整紐４は、いずれも対応する２つの第３の貫通孔を通過する。こうすれば、調整紐４の第１の枕部分２０１に近接する一端が第２の枕部分２０２により制限され、調整紐４を調整するとき、第２の枕部分２０２全体が変化するよう保証し、調整をさらに柔軟にし、調整効果をさらに向上させる。このような実施形態では、枕コアの内部に位置する調整紐４を見え、技術をより容易に理解するために、図１及び図２のいずれを斜視図とみなしてもよい。
【００３８】
実施例８：
本実施例は実施例６に基づいてさらに改良されたものであり、本実施例と実施例６との具体的な区別は以下のとおりである。
【００３９】
本実施例において、さらに、前記第２の枕部分２０２の第１の枕部分２０１に近接する一端に対応する枕コア２には、２つの第４貫通孔が設置され、各調整紐４は、いずれも対応する２つの第４貫通孔を通過する。こうすれば、対応する第２の貫通孔も貫通することに影響せず、調整紐４が第２の枕部分２０２に対応する枕コア２の内側から外側に通過してから、また内側に通過することに相当し、調整紐４に対して優れた制限作用を果たす。このような実施形態では、枕コアの内部に位置する調整紐４を見え、技術をより容易に理解するために、図１及び図２のいずれを斜視図とみなしてもよい。
【００４０】
実施例９：
本実施例は実施例６に基づいてさらに改良されたものであり、本実施例と実施例６との具体的な区別は以下のとおりである。
【００４１】
本実施例において、さらに、前記制限通路は、枕コア２と、枕コア２の外側に設置された制限ストリップとを縫合することにより形成される。こうすれば、各調整紐４はいずれも対応する制限通路を通過し、調整紐４に対して同様に制限作用を果たすことができ、また、製造がより簡単になり、製造コストを節約する。
【００４２】
実施例１０：
本実施例は実施例１〜実施例９のいずれかに基づいてさらに改良されたものであり、本実施例と実施例１〜実施例９のいずれかとの具体的な区別は以下のとおりである。
【００４３】
本実施例において、さらに、前記枕コアは繊維材料で製造され、機能上の需要に応じて選択可能であり、枕カバーの内部に充填される。枕カバーの材質は限定しないが、国家標準Ａ級の乳児専用の材料が好ましい。
【００４４】
本考案は、上述した好ましい実施形態に限定されるものではなく、本考案の示唆の下で、誰でも他の様々な形態の製品を得ることができるが、その形状又は構造上の変更に関係なく、本実用新案登録請求の範囲に含まれる全ての技術的解決手段は、いずれも本考案の保護範囲内に含まれる。
【符号の説明】
【００４５】
１−枕カバー、２−枕コア、２０１−第１の枕部分、２０２−第２の枕部分、３−調整留め具、３０１−十字形の切れ目、４−調整紐。
【図１】
0003230013.tif 000003
【図２】
0003230013.tif 000004
【図３】
0003230013.tif 000005
【図４】
0003230013.tif 000006
【図５】
0003230013.tif 000007
【図６】
0003230013.tif 000008
【図７】
0003230013.tif 000009